(57)【要約】【課題】幅方向又は長さ方向に引っ張り広げることで可逆的に簀子になるクッションシートを提供することを主要な目的とする。【解決手段】クッションシート４は、樹脂製シート５と特定の機能を持たせた機能性シート６を備える。樹脂製シート５および機能性シート６には、幅方向又は長さ方向に引っ張り広げることで簀子穴７に可逆的に変形する、これらを厚み方向に貫通する複数個の切り込み８が設けられている。機能性シート６は、吸湿性、消臭性、防ダニ性、吸水性、抗菌防臭性、吸湿発熱性及び吸水速乾性からなる群より選ばれる特定の機能を有する。【選択図】図１
2014097277.tif 000002
【特許請求の範囲】
【請求項１】
簀子になるクッションシートであって、
樹脂製シートと、
前記樹脂製シートの上に設けられ、特定の機能を持たせた機能性シートとを備え、
前記樹脂製シート及び前記機能性シートには、前記シートの幅方向又は長さ方向に引っ張り広げることで簀子穴に可逆的に変形する、これらを厚み方向に貫通する複数個の切り込みが設けられていることを特徴とする、クッションシート。
【請求項２】
前記複数個の切り込みは、平面視で、互いに逆方向に向いた２種類の、深皿の断面形状を有している第１及び第２の切り込みを含み、
前記第１の切り込みが、複数個、シートの幅方向及び長さ方向に並んでおり、かつその間を割り込むように、平面視で逆方向を向いた前記第２の切り込みが、複数個、ピッチをずらせて、シートの幅方向及び長さ方向に並んでいる、請求項１に記載のクッションシート。
【請求項３】
前記機能性シートは、吸湿性、消臭性、防ダニ性、吸水性、抗菌防臭性、吸湿発熱性及び吸水速乾性からなる群より選ばれる特定の機能を有する請求項１又は２に記載のクッションシート。
【請求項４】
前記樹脂製シートは、発泡ポリエチレン又はＥＶＡフォームで形成される、請求項１〜３のいずれか１項に記載のクッションシート。
【請求項５】
前記樹脂製シートの表面及び／又は裏面に、前記シートの幅方向又は長さ方向に窪みの通路が設けられている、請求項１〜４のいずれか１項に記載のクッションシート。
【請求項６】
前記樹脂製シートの厚み部分には、前記シートの幅方向又は長さ方向に貫通する貫通路が設けられている、請求項１〜４のいずれか１項に記載のクッションシート。
【請求項７】
当該クッションシートの端縁の一方に凸部を設け、他方の端縁に凸部を受け入れる凹部を設け、複数個連結され得るようにした、請求項１〜６のいずれか１項に記載のクッションシート。
【請求項８】
前記樹脂製シート及び／又は前記機能性シートには難燃・防炎加工が施されている、請求項１〜７のいずれか１項に記載のクッションシート。
【請求項９】
前記樹脂性シートの下面に補強材層が設けられ、
前記切り込みは、前記補強材層をも貫通している、請求項１〜８のいずれか１項に記載のクッションシート。
【請求項１０】
前記補強材層は、かえしのある針を突き刺して機械的に繊維を結合させたニードルパンチ不織布で形成されている請求項９に記載のクッションシート。
【発明の詳細な説明】
【技術分野】
【０００１】
本発明は一般にクッションシートに関し、より特定的には、断熱性又は通気性を必要とするあらゆる生活シーンの中で、大きく使え、かつコンパクトに収納できるクッションシートに関する。
【背景技術】
【０００２】
従来、敷布団や敷いた後の床がじっとりするという悩みを解決するために、図１２に示すような通気性のよい簀子（すのこ）１を用いて、簀子１の上に敷布団を敷いて寝ていた。簀子１は、太い木の角材２の上に薄い木の板３を直角に打ち付けたもので、空気の通り道となる簀子穴１ａがあるため風通しのよいのが特徴である。簀子１を用いると、涼しい寝心地をキープでき、汚れにくく、雑菌、カビが繁殖しにくいので、清潔である。図のような、単純な構造の簀子の他に、桐スタンド式の簀子ベッド、ぐるぐる丸めて立てて収納する桐ロール式の簀子ベッドも提案されている。
【０００３】
また、弾性体よりなるシート状素材に設けたスリットを広げることによって貫通孔を形成するようにしたクッション材も開示されている（例えば特許文献１参照）。また、弾性体よりなるシート状素材に設けたスリットを広げることによって貫通孔を形成するようにしたクッション材を被覆材で包み込んで一体化したクッションも開示されている（特許文献２参照）。
【先行技術文献】
【特許文献】
【０００４】
【特許文献１】特開２００９−２２６０８８号公報
【特許文献２】特開２０１１−０００１４３号公報
【発明の概要】
【発明が解決しようとする課題】
【０００５】
簀子１は確かに、涼しい寝心地をキープできる。しかしながら、従来の簀子ベッドは嵩張るものであり、片付けても場所を取り、部屋が狭くなるという問題点があった。木製の場合、重くなり、片付けにも労力を要し、改良が求められていた。取り扱いによっては、硬いので怪我をするということもあった。また特許文献１に開示のクッション材では、繰り返し伸縮させると、ちぎれたり亀裂が走ったりすることがあり、繰り返し使用することが困難で、耐久性がないという問題点があった。また、特許文献２に開示のクッション材では、もとの形に縮めることができず、片付けるときに場所を取るという問題点があり、また吸湿性などの特定の機能が付与されるものではなかった。
【０００６】
このような背景のもと、本発明者らは、鋭意研究を重ねた結果、樹脂製シートに機能性シートを重ねて貼り合せ、簀子を形成すると、できた簀子穴は、その上に敷布団が置かれたときには、空気の溜まり場となり、断熱効果が生じること、また、耐久性が増すことを見出し、本発明に到達した。
【０００７】
本発明は、従来の簀子の長所を生かしつつ、コンパクトに収納でき、かつ大きく使え、しかも繰り返し使える、機能性のある、伸縮自在、さらに断熱効果のあるクッションシートを提供することを目的とする。
【０００８】
本発明の他の目的は、寝ている間に布団の除湿を行うことができるクッションシートを提供することにある。
【０００９】
本発明の他の目的は、結露によるカビの発生のない、ダニの発生のない、細菌の発生のない、そして汗などのイヤな臭いが付着しない多機能性を有するクッションシートを提供することにある。
【００１０】
本発明のさらに他の目的は、災害時の防災商品、災害グッズとして使用できるクッションシートを提供することにある。
【課題を解決するための手段】
【００１１】
本発明に係るクッションシートは、簀子になるクッションシートであって、樹脂製シートと、該樹脂製シートの上に設けられ特定の機能を持たせた機能性シートとを備える。上記樹脂製シート及び上記機能性シートには、上記シートの幅方向又は長さ方向に引っ張り広げることで簀子穴に可逆的に変形する、これらを厚み方向に貫通する複数個の切り込みが設けられていることを特徴とする。
【００１２】
本発明に係るクッションシートによれば、幅方向又は長さ方向に引っ張り広げることで、簀子になる。機能性シートは樹脂製シートより硬質であり、樹脂製シートが柔らかい材料で形成されても、簀子穴は、支えを必要とせず、そのままの形状を保持し、自立する。簀子穴が空気の溜まり場となり断熱効果を有するので、保温性が良い。また元に縮めることができるので、嵩張らずコンパクトになる。
【００１３】
上記機能性シートは、吸湿性、消臭性、防ダニ性、吸水性、抗菌防臭性、吸湿発熱性及び吸水速乾性からなる群より選ばれる特定の機能を有するのが好ましい。
【００１４】
上記複数個の切り込みは、平面視で、互いに逆方向に向いた２種類の、深皿の断面形状を有している第１及び第２の切り込みを含み、上記第１の切り込みが、複数個、シートの幅方向及び長さ方向に並んでおり、かつその間を割り込むように、平面視で逆方向を向いた上記第２の切り込みが、複数個、ピッチをずらせて、シートの幅方向及び長さ方向に並んでいるのが好ましい。
【００１５】
上記簀子穴の形状は、平面視において、互いに対向する山部と谷部とそれらの両端をつなぐ一対の連結部からなり、上記連結部は、平面視において、二等辺三角形の頂角を形成した一対の等辺からなり、押し縮めたり、引っ張り広げることで、上記山部が反対の方向に向き変わり、上記谷部にくっついたり離れたりする。
【００１６】
上記吸湿性シートは、ポリアクリル酸ナトリウム塩を主成分とするポリマーを直接紡糸し、繊維形状化させてなる高吸水・高吸湿性繊維が好ましいが、シリカゲルなどを用いることもできる。吸湿性を持たせることにより、このクッションシートの上に敷布団を敷き、就寝すると、汗をかいても、水が吸収され、汗ばんでベトつく感じが無く、快眠が得られる。
【００１７】
上記樹脂製シートはポリエチレン、ポリウレタン、酢酸ビニル共重合体（ＥＶＡ），合成ゴム、スポンジ、ポリプロピレン発泡体、ポリ塩化ビニル、発泡ポリエチレン、ＥＶＡフォームなどで形成されるのが好ましい。この中でも、硬質系の発泡ポリエチレン、ＥＶＡフォームはより好ましい。簀子穴の形状の維持および後述する断熱効果が高められるためである。樹脂製シートを、発泡ポリウレタンで形成することも可能である。この場合、強度を持たせるために、樹脂を含浸させてもよい。
【００１８】
上記切り込みの形状は、幅方向又は長さ方向に引っ張り広げることで、約２倍のサイズになるように選ばれているのが好ましい。このようにすることにより、収納時、半分の体積になり、コンパクトになる。また材料コストからみても、約２倍の大きさにして使えるので、原材料費は２倍の大きさのものの半分となる。廃棄の際にも、廃棄物の量は２倍の大きさのものの半分となる。
【００１９】
この発明の好ましい実施態様によれば、上記樹脂製シートの表面及び／又は裏面に、上記シートの幅方向又は長さ方向に窪みの通路が設けられていてもよい。窪みの通路は空気の通り道になり、通気性を生じる。
【００２０】
この発明のまた好ましい実施態様によれば、上記樹脂製シートの厚み部分に、上記シートの幅方向又は長さ方向に、貫通路が設けられていてもよい。貫通路は空気の通り道になり、通気性を生じる。
【００２１】
当該クッションシートは２個連結されるように構成してもよい。連結部において、一方のクッションシートの端縁には、凸部が設けられ、他方のクッションシートの端縁には、凸部を受け入れる凹部が設けられているのが好ましい。嵌め込みタイプで、当該クッションシートは２個連結できる。また、一方のクッションシートの端縁には、着脱自在のフック又はパイルからなる布製テープが設けられていてもよい、これらにより当該クッションシートを、複数個、幅方向又は長さ方向につなぐことができる。つなぎ合わせることで、さらに大きく使える。
【００２２】
この発明のさらに好ましい実施態様によれば、当該クッションシートの端縁の一方に凸部を設け、他方の端縁に凸部を受け入れる凹部を設け、複数個連結され得るようにしている。複数個連結することにより、スペースの自由度ができ、広範囲に使用することができる。
【００２３】
上記機能性シートは、帝人製ベルオアシス（登録商標）、東洋紡製モイスファン（登録商標）、Ｂ型シリカゲル、エクオス（登録商標）などの吸湿吸水繊維や、その他防ダニ及び消臭、抗菌防臭・吸湿発熱・吸水速乾機能などのすべての機能性素材の使用が可能である。
【００２４】
上記樹脂製シート及び／又は上記機能性シートには難燃・防炎加工が施されているのが好ましい。繊維を燃えにくくする方法には、大きく分けて２つの方法がある。１つは、繊維そのものに燃えにくい素材を使うことである。素材自体が難燃・防炎性に優れたものとしてメタ系アラミドなどがあり、化学繊維の場合は、原料樹脂に難燃・防炎剤を練り込んで難燃・防炎素材とすることもできる。もう１つの方法は、綿などの生地に難燃・防炎剤を加えて加工（難燃・防炎後加工）を行うことである。難燃・防炎剤には、リン系難燃・防炎剤、ハロゲン系難燃・防炎剤、金属水酸化物難燃・防炎剤などがある。この中でも、難燃・防炎化綿を混ぜることにより実現するのが好ましい。難燃性、防炎性、断熱性、保湿性、通気性を持たせることにより、災害時の防災商品、災害グッズとして使用することができる。
【００２５】
上記樹脂性シートの下面に、もろさを改善するための補強材層が設けられていてもよい。上記切り込みは、上記補強材層をも貫通している。補強材層は、ニードルパンチ不織布、スパンボンド不織布、スパンレース不織布などの不織布、綿布、ポリエステル、レーヨン、ナイロン、アクリルなどの生地などで形成される。この中でも、かえしのある針を突き刺して機械的に繊維を結合させたニードルパンチ不織布が好ましい。
【発明の効果】
【００２６】
本発明に係るクッションシートによれば、幅方向又は長さ方向に引っ張り広げることで、簀子になる。簀子穴は、その上に敷布団が置かれたときには、空気の溜まり場となり、断熱性の効果が生じ、保温性が生じる。上記機能性シートを設けることにより、機能の付加に加えて、引っ張り広げたり、押し縮めたりの繰り返し動作に耐える強度を持たせることができる。機能性シートに、吸湿性、防ダニ、吸水、抗菌、防臭、発熱又は速乾性などの特定の機能を持たせることができる。原則洗えるので、衛生的に使用できる。省スペースで大量に保管が可能である。柔軟性があり、破損しにくいので、取り扱いが簡単である。
【図面の簡単な説明】
【００２７】
【図１】本発明の実施例１に係るクッションシートの動作を説明する図である。
【図２】本発明に係るクッションシートが断熱効果を発揮することを説明する図である。
【図３】簀子穴と切り込みの平面視における関係を示す図である。
【図４】実施例２に係るクッションシートの斜視図である。
【図５】実施例３に係るクッションシートの斜視図である。
【図６】実施例４に係る多機能性を有するクッションシートの斜視図である。
【図７】実施例５に係るクッションシートの斜視図である。
【図８】実施例５の変形例に係るクッションシートの斜視図である。
【図９】実施例６に係るクッションシートの斜視図である。
【図１０】実施例７に係るクッションシートの斜視図である。
【図１１】実施例８に係るクッションシートを示す斜視図である。
【図１２】従来の簀子の斜視図である。
【発明を実施するための形態】
【００２８】
断熱性がよく、コンパクトに収納でき、かつ大きく使え、しかも繰り返し使えるクッションシートを得るという目的を、クッションシートを構成する樹脂製シートに機能性シートを重ねて貼り合せ、これらのシートの幅方向又は長さ方向に引っ張り広げることで簀子穴に可逆的に変形する、これらのシートを厚み方向に貫通する複数個の切り込みを設けることによって実現した。以下、この発明の実施例を、図を用いて説明する。なお、図面は、比例尺で描かれていない。同一又は相当する部分には、同一の参照番号を付す。
【実施例１】
【００２９】
図１は、本発明の実施例１に係るクッションシートの動作を説明する図である。（Ａ）は、引っ張り広げる前のクッションシートの斜視図であり、（Ｂ）は、引っ張り広げた後のクッションシートの斜視図であり、いずれも部分拡大図を併記している。
【００３０】
これらの図に示すクッションシート４は、敷布団（図示せず）の下に敷くことで、簀子マットを構築できるものである。クッションシート４は、樹脂製シート５と、樹脂製シート５の上にボンドで接着して設けられた機能性シートの一例である吸湿性シート６とを備える。接着は、スプレー糊を用いた手貼り又はシンター加工で行うことができる。樹脂製シート５の素材としては、例えば、ポリエチレン、ポリウレタン、ＥＶＡ，合成ゴム、スポンジ、ポリプロピレン発泡体、ポリ塩化ビニル、発泡ポリエチレン、発泡ポリウレタン、発泡ＥＶＡを使用することができる。樹脂製シート５の厚みは好ましくは３ｍｍ〜２００ｍｍであり、機能性シートである吸湿性シート６の厚みは好ましくは３ｍｍ〜５０ｍｍである。
【００３１】
樹脂製シート５及び吸湿性シート６には、これらのシートの幅方向又は長さ方向に引っ張り広げることで簀子穴７に可逆的に変形する、平面上に屈曲して延び且つこれらを厚み方向にこれらのシート５，６を貫通する切り込み８が設けられている。切り込み８は可逆的に簀子穴７に変形して、そのまま形を保持し、安定化する。そして、機能性シートである吸湿性シート６が、吸湿性の機能の付加に加えて、引っ張り広げたり、押し縮めたりの繰り返し動作に耐える強度を樹脂製シート５に与えるのである。切り込み８の形状は、引っ張り広げることで、クッションシートが引っ張り方向に２倍のサイズになるように選ばれている。簀子穴７は、敷布団がその上に敷かれたとき、空気の溜まり場となり、断熱効果を与える。
【００３２】
本発明において断熱効果が生じた理由を考察すると、図２を参照して、本発明に係るクッションシート４では、機能性シート６を樹脂製シート５の上に重ねて貼り付けているのが特徴である。クッションシート４を幅方向又は長さ方向に引っ張り広げて、切り込みを簀子穴７に変形させて、敷布団１４をその上に敷き、人１５がその上に横たわる場合を考える。簀子穴７は空気の溜まり場であり、機能性シート６の厚み分の空気層と樹脂製シート５の厚み分の空気層とからなる。樹脂製シート５が柔らかい場合、樹脂製シート５の厚み分の空気層は圧縮されると押し潰される場合がある。機能性シート６は樹脂製シート５に比べて硬質であるので、樹脂製シート５の厚み分の空気層が人１５の体重により厚み方向に潰れても、機能性シート６の厚み分の空気層は人１５の体重程度では潰れずに残る。空気層は熱伝導率が低い（空気の熱伝導率（Ｗ/ｍ・Ｋ）は室温付近で０．０２４１、ちなみに鉄は８４、木材は０．１５〜０．２５、ポリエチレンは０．４１である）ので、断熱効果を強く発揮する。本発明に係るクッションシートは上記空気層の存在により大きな断熱効果を有するのであると考えている。なお、樹脂製シート５が、発泡ポリエチレン又はＥＶＡフォームのような硬質の材料で形成された場合には、その厚み分の空気層は、人１５の体重程度では潰れずに残る。
【００３３】
機能性シート６の好ましい厚みは３ｍｍ〜５０ｍｍである。鉄筋コンクリートのマンション、体育館などの床の上に直接敷布団を敷いて寝ると体温が取られて底冷えするが、床の上に本発明に係るクッションシートを介在させて敷布団を敷くと、断熱効果を発揮し、温かい。災害時の防災商品、災害グッズとして使用することができる。
【００３４】
なお、上記樹脂製シート及び機能性シートには難燃・防炎加工を施してもよい。これにより官需に対応することができる。
【００３５】
複数個の切り込み８は、平面視で、互いに逆方向に向いた２種類の、あたかも深皿の断面形状の如き平面視形状を有している第１及び第２の切り込み８ｐ、８ｑを含む。その並び方について説明すると、第１の切り込み８ｐが、複数個、シートの幅方向及び長さ方向に並んでいる。その間を割り込むように、平面視で逆方向を向いた第２の切り込み８ｑが、複数個、ピッチをずらせて、シートの幅方向及び長さ方向に並んでいる。
【００３６】
本発明に係るクッションシート４は、引っ張り広げることで、簀子になる。簀子穴７は、空気の溜まり場となり、断熱効果が生じ、保温性を高める。また、幅方向又は長さ方向に押し縮めることにより、簀子穴７は元の切り込み８の形状に戻る。このように、本発明に係るクッションシート４は、引っ張り広げたり、また元に縮めることができるので、大きく使用できるし、また、コンパクトに収納できる。そして、上記機能性シートが、上記の機能の付加に加えて、引っ張り広げたり、押し縮めたりの繰り返し動作に耐える強度を与える。
【００３７】
吸湿性シート６は、ポリアクリル酸ナトリウム塩を主成分とするポリマーを直接紡糸し、繊維形状化させてなる高吸水・高吸湿性繊維であるベルオアシス（登録商標）（帝人株式会社製）で形成されている。ベルオアシス（登録商標）で形成された吸湿性シート６は、木綿の約７倍、Ｂ型シリカゲルの約２倍の吸湿能力を有する。大きな表面積により素早く吸水し、圧力を加えても容易に水分を逃がさない。難燃・防炎性でもあり、安心できる。アンモニアに対する消臭性が強く、天日干しに繰り返し使用が可能である。軽くてソフト、しなやかな風合いを有する。高吸水・高吸湿性繊維として、モイスファイン（登録商標）（東洋紡製）、ペアクール（登録商標）（旭化成製）も使用することができる。吸湿性シート６は、シリカゲルで形成されてもよい。
【００３８】
実施例１に係るクッションシート４によれば、吸湿性シート６を備えるので、この上に敷布団を敷いて寝ると、布団の除湿を寝ている間に行うことができる。また、敷布団の幅方向又は長さ方向に引っ張り広げることで、簀子になるので、断熱効果が生じる。引っ張り広げることで、大きく使える。また逆方向に押し縮めることにより、元の切り込み形状に戻すことができるので、コンパクトに収納できる。
【００３９】
図３（Ａ）（Ｂ）は、切り込み８が、当該シートの幅方向又は長さ方向に引っ張り広げられることで、簀子穴７に可逆的に変形して安定化する動作を説明する図である。図３（Ｂ）とその分解図である図３（Ｄ）に示すように、切り込み８は、平面視で縁に壁のある深皿の断面形状をしており、引っ張り広げられる方向に切り込まれた一対の切り込み端部８ａ，８ａと、該一対の切り込み端部８ａ，８ａの後端同士を結ぶように切り込まれた切り込み連結部８ｂからなる。切り込み連結部８ｂは、平面視で、中央が窪んでいる。簀子穴７の形状は、図３（Ａ）とその分解図である図３（Ｃ）に示すように、平面視において、互いに対向する山部７ａと谷部７ｂと、それらの両端をつなぐ一対の連結部７ｃからなる。一対の連結部７ｃは、それぞれ二等辺三角形の頂角を形成した一対の等辺からなる。
【００４０】
図３（Ａ）と（Ｂ）に示すように、簀子穴７が元の切り込み８に戻る時、連結部７ｃの一対の等辺のそれぞれの辺がくっつき、そして、山部７ａが反対の方向に反転して向きを変え、谷部７ｂとくっつく。逆に、引っ張り広げると、切り込み８の山部になる部分が反転して、山部７ａになる。図３（Ａ）における山部７ａの形状と、図３（Ｂ）におけるその反転形状はいずれも安定な状態となっている。
【００４１】
本実施例では、機能性シートの一例として吸湿性シートを例示したが、他に消臭性、防ダニ性、吸水性、抗菌防臭性、吸湿発熱性及び吸水速乾性などの全ての機能性素材の使用が可能である。
【実施例２】
【００４２】
図４（Ａ）は、実施例２に係るクッションシートの斜視図である。実施例２に係るクッションシートは、実施例１に係るクッションシートが２個連結されてなる。連結部において、一方のクッションシートの端縁には、凸部４ａが設けられ、他方のクッションシートの端縁には、凸部４ａを受け入れる凹部４ｂが設けられている。凸部４ａと凹部４ｂの嵌め込みで２つのクッションシートが連結される。例えば約４５ｃｍのクッションシートが２個連結されて、図４（Ｂ）に示すように、引っ張り広げることで、約２００ｃｍの簀子ができる。コンパクトに収納でき、かつ広く使える。
【実施例３】
【００４３】
図５は、実施例３に係るクッションシートの分解斜視図である。実施例３に係るクッションシートは、実施例１に係る樹脂製シート５及び吸湿性シート６を備えるクッションシート４を、幅方向又は長さ方向に引っ張り広げてなるものである。引っ張り広げてなるクッションシート４の切り込み８の断面が現われる２つの側面に、側面保護部材９ａが設けられている。側面保護部材９ａは、機械的強度を弱くしている切り込み８の端を隠し、クッションシート４の強度を上げる働きをする。側面保護部材９ａは、樹脂製シート、不織布、生地又は特定の機能を持たせた機能性素材層で形成するのが好ましい。
【実施例４】
【００４４】
図６は、実施例４に係るクッションシートの分解斜視図である。この図は概念を分かり易く描いたもので、比例尺では描かれていない。実施例４に係るクッションシートは、実施例３に係る側面保護部材９ａを備えるクッションシート４の表面及び裏面に、不織布、生地又は特定の機能を持たせた機能性素材層からなる縮み防止部材９ｂを設けたものである。縮み防止部材９ｂは、幅方向又は長さ方向にクッションシート４が縮み、引っ張り広げる前の元の形状に戻るのを防止するためのものである。縮み防止部材９ｂには、厚み部分を貫通する貫通孔１０が設けられている。貫通孔１０は、空気の溜まり場となり、断熱効果を生じる。縮み防止部材９ｂの厚みは３ｍｍ〜２００ｍｍである。
【００４５】
なお、実施例４では、表面と裏面の双方に縮み防止部材９ｂを設けた場合を例示したが、この発明はこれに限られるものでなく、いずれか一方だけでもよい。
【００４６】
上記不織布は、ニードルパンチ不織布、スパンボンド不織布、スパンレース不織布を含む全ての不織布を含む。上記生地は、綿布、ポリエステル、レーヨン、ナイロン、アクリルの全ての生地を含む。上記機能性素材層は、帝人製ベルオアシス（登録商標）、東洋紡製モイスファン（登録商標）、Ｂ型シリカゲル、エクオス（登録商標）などの吸湿吸水繊維や、その他防ダニ及び抗菌防臭・吸湿発熱・吸水速乾機能などのすべての機能性素材の使用が可能である。
【実施例５】
【００４７】
実施例１では、樹脂製シートの表面が平坦な場合を例示したが、図７（Ａ）（Ｂ）に示すように、樹脂製シート５の裏面に、シートの幅方向又は長さ方向に、窪み５ａが設けられていてもよい。窪み５ａは空気の通り道となり、通気性を生じる。窪み５ａは、樹脂製シート５の表面を削ること、又は金型でプレスすることによって形成される。
【００４８】
樹脂製シート５の窪み５ａは、図８（Ａ）に示すように、樹脂製シート５の表面及び裏面の双方に形成することもできる。空気の通り道がさらに多くなり、通気性がより高まり、快適な睡眠を確保できる。また窪み５ａの形状として、図８（Ｂ）に示すように断面が矩形状の窪み５ａであってもよい。
【実施例６】
【００４９】
実施例５では、樹脂製シートの表面又は裏面に窪みを形成する場合を例示したが、図９（Ａ）に示すように、樹脂製シート５の厚み部分に、シートの幅方向又は長さ方向に貫通する貫通路５ｂを設けてもよい。このような貫通路５ｂを有する樹脂製シート５は、図９（Ｂ）に示すような貫通路５ｂを有する樹脂製マット１１を刃物１２でスライスすることによって形成される。貫通路５ｂもまた空気の通り道となり、通気性を生じる。
【実施例７】
【００５０】
図１に示す実施例１では、２層構造のクッションシートを例示したが、この発明はこれに限られるものでなく、図１０に示すように、樹脂製シート５の裏面に補強材層１３を設けた３層構造としてもよい。機能性シート６が、機能の付加に加えて、引っ張り広げたり、押し縮めたりの繰り返し動作に耐える強度を与えることは既に述べたが、補強材層１３がさらに強度を高める。補強材層１３は、ニードルパンチ不織布、スパンボンド不織布、スパンレース不織布などで形成される。この中でも、ニードルパンチ不織布が好ましい。ニードルパンチ不織布は、かえしのある針を突き刺して機械的に繊維を結合させたものであり、３次元的に繊維が絡んでいるので、繊維と繊維の隙間に空気の溜まり場が多くでき、空気層ができ、断熱効果にも寄与する。このような補強材層を設けることは、上述の実施例のいずれにも応用することができる。この補強材層に機能性を持つ機能性綿を混合してもよい。３層構造に限定されるものでなく、強度を高めるために、また更なる機能を持たせるために、４層、５層とさらなる層を追加してもよい。
【実施例８】
【００５１】
実施例２では、クッションシートが２個連結された場合を例示したが、図１１（Ａ）に示すように、クッションシート４の端縁の一方に凸部４ａを設け、他方の端縁に凸部４ａを受け入れる凹部４ｂを設けることにより、図１１（Ｂ）に示すように、数多くのクッションを連結することができる。このように構成すると、体育館などの広い床の上にクッションシートを多数敷き並べることができる。４個連結するのが適切である。災害時の防災商品、災害グッズとして提供できる。また、図１１（Ｃ）に示すように、補強材層１３を樹脂製シート５の裏面に設けることで、機能性シート６と協同して、樹脂製シート５のもろさが改善される。
【００５２】
本発明に係るクッションシート及び多機能性を有するクッションシートは、布団の下に敷く簀子の代替、押入れ簀子、除湿マット、お風呂マット、パーテション、すだれ、クッション、座布団、カーペットクッション材、その他の生活シーンの中で断熱性又は通気性の確保を目的として使用される多機能シートに広く利用することができる。
【００５３】
上記実施例では、切り込みの形状として、深皿の断面形状の如き平面視形状を有している切り込みを例示したが、この発明はこれに限られるものでなく、引っ張り広げることで、空気の溜まり場となる穴に可逆的に変形する切り込み形状はいずれも使用することができる。
【００５４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５５】
本発明に係るクッションシートは、あらゆる生活シーンの中で断熱性又は通気性の確保を目的として使用される。吸湿、防ダニ、吸水、抗菌、防臭、発熱又は速乾性などの特定の機能を持たせながら、耐久性のあるクッションシートとして広く利用することができる。
【符号の説明】
【００５６】
１        簀子
２        角材
３        板
４        クッションシート
４ａ      凸部
４ｂ      凹部
５        樹脂製シート
５ａ      窪み
５ｂ      貫通路
６        機能性シート
１ａ，７  簀子穴
８        切り込み
８ｐ      第１の切り込み
８ｑ      第２の切り込み
９ａ      側面保護部材
９ｂ      縮み防止部材
１０      貫通孔
１１      樹脂製マット
１２      刃物
１３      補強材層
１４      敷布団
１５      人
【図１】
2014097277.tif 000003
【図２】
2014097277.tif 000004
【図３】
2014097277.tif 000005
【図４】
2014097277.tif 000006
【図５】
2014097277.tif 000007
【図６】
2014097277.tif 000008
【図７】
2014097277.tif 000009
【図８】
2014097277.tif 000010
【図９】
2014097277.tif 000011
【図１０】
2014097277.tif 000012
【図１１】
2014097277.tif 000013
【図１２】
2014097277.tif 000014